(57)【要約】【課題】当接部の一部に応力集中が生じることを阻止して良好な耐久性を発揮できると共に、被連結体を安定した状態で連結することができ、しかも、この連結ピンと螺子孔との良好な螺着が長期間保たれるだけでなく、前記被連結体は金具本体の内面をスムーズに移動できる極めて実用性に秀れた画期的な連結具を提供するものである。【解決手段】離間部２を有する略環状の金具本体１の対向端部に取付孔部３を対向状態に設け、この取付孔部３の少なくとも一方は螺子孔４とし、この取付孔部３に連結ピン５を挿通すると共に、連結ピン５に設けた螺子部６を前記螺子孔４に螺着することで、前記取付孔部３間に連結ピン５を着脱自在に架設して開閉部を構成した連結具であって、少なくとも金具本体１の前記連結ピン５に対する左右位置内面に、被連結体７が当接する当接部８を設け、この対向する当接部８は夫々凹部同志が対向する湾曲形状に設けたものである。【選択図】        図１
2004308718.tif 000002
【特許請求の範囲】
【請求項１】
離間部を有する略環状の金具本体の対向端部に取付孔部を対向状態に設け、この取付孔部の少なくとも一方は螺子孔とし、この取付孔部に連結ピンを挿通すると共に、連結ピンに設けた螺子部を前記螺子孔に螺着することで、前記取付孔部間に連結ピンを着脱自在に架設して開閉部を構成した連結具であって、少なくとも金具本体の前記連結ピンに対する左右位置内面に、被連結体が当接する当接部を設け、この対向する当接部は夫々凹部同志が対向する湾曲形状に設けたことを特徴とする連結具。
【請求項２】
前記対向する取付孔部の双方を螺子孔とし、前記連結ピンの先端側の螺子部と基端側の螺子部とを、前記双方の螺子孔と夫々螺着することで、取付孔部間に着脱自在に架設して前記開閉部を構成したことを特徴とする請求項１に記載の連結具。
【請求項３】
前記金具本体を一体成形により形成したことを特徴とする請求項１，２のいずれか１項に記載の連結具。
【請求項４】
前記金具本体の対向端部のいずれか一方に設けられた螺子孔の一部を圧潰変形させて、前記連結ピンが挿通不能な抜け止め部を形成したことを特徴とする請求項１〜３のいずれか１項に記載の連結具。
【請求項５】
前記連結ピンに、前記金具本体と略面一状態となるようなカバー体を被嵌することで、この連結ピンを前記当接部に設定し得るように構成したことを特徴とする請求項１〜４のいずれか１項に記載の連結具。
【発明の詳細な説明】
【０００１】
【発明の属する技術分野】
本発明は、シャックル等の連結具に関するものである。
【０００２】
【従来の技術及び発明が解決しようとする課題】
従来のロープやワイヤ等の被連結体を連結する連結具であるシャックルは、略Ｕ字状の金具本体の対向端部に夫々設けた取付孔部に螺子孔を設け、この取付孔部に連結ピンを挿通すると共に螺着することで、前記取付孔部間に前記連結ピンを着脱自在に架設して開閉部を構成し、この略Ｕ字状の金具本体の湾曲凹部と対向状態に設けた前記開閉部を構成する略直線状の連結ピンとを前記被連結体が当接する当接部に設定したものである。
【０００３】
ところで、当接部の一方に設定した前記金具本体の湾曲凹部においては、この湾曲形状により前記被連結体からの応力が分散し、この湾曲凹部の各部にかかる応力は小さくなるため、非常に良好な耐久性を発揮できる。
【０００４】
しかし、当接部の他方に設定した前記連結ピンにおいては、前記被連結体から受ける応力を分散することができず、この被連結体と当接する一部分に応力集中が生じることから変形しやすい。
【０００５】
また、前記対向状態に設けた当接部に夫々当接する被連結体から前記当接部に応力がかかると、前記湾曲凹部においては、この湾曲凹部の底部に前記被連結体を位置決めできるが、連結ピンは前述したように略直線状であるから、この連結ピン上に前記被連結体を位置決めすることができず、多少前記被連結体が左右に振られるだけで容易に連結ピン上を移動してしまい前記被連結体を安定的に連結することができない。
【０００６】
しかも、本来前記連結ピンと螺子孔との螺着により良好な連結強度を発揮できるにもかかわらず、この連結ピンに直接前記被連結体からの応力がかかることで、この螺着が緩みやすく、折角の螺着による高強度連結の意義が薄れてしまう。
【０００７】
更に、前記金具本体の対向端部と連結ピンとの連結部は略直角となるから、前記被連結体が連結具内面を移動する際、前記対向端部と連結ピンとの連結部において前記被連結体の動きが阻害されることになり、この被連結体は連結具内面をスムーズに移動することができないという問題もあるのが現状である。
【０００８】
本発明は、上述のような現状に鑑み、離間部を有する略環状の対向端部に夫々取付孔部を設け、この取付孔部間に架設した連結ピンに対する左右位置内面に、被連結体が当接する当接部を設け、この対向する当接部は夫々凹部同志が対向する湾曲形状に設けることで、被連結体からの応力を湾曲形状の当接部全体に分散して受けることができるため、前記当接部の一部に応力集中が生じることを阻止して良好な耐久性を発揮できると共に、前記当接部に当接する被連結体を前記湾曲形状の底部に位置決めすることができるため、被連結体を安定した状態で連結することができ、しかも、連結ピンに前記被連結体からの応力が直接かからない構成とすることができるから、この連結ピンと螺子孔との良好な螺着が長期間保たれるだけでなく、金具本体は略環状で内面を移動する被連結体の移動を阻害する部分がないから、前記被連結体は金具本体の内面をスムーズに移動できる極めて実用性に秀れた画期的な連結具を提供するものである。
【０００９】
【課題を解決するため手段】
添付図面を参照して本発明の要旨を説明する。
【００１０】
離間部２を有する略環状の金具本体１の対向端部に取付孔部３を対向状態に設け、この取付孔部３の少なくとも一方は螺子孔４とし、この取付孔部３に連結ピン５を挿通すると共に、連結ピン５に設けた螺子部６を前記螺子孔４に螺着することで、前記取付孔部３間に連結ピン５を着脱自在に架設して開閉部を構成した連結具であって、少なくとも金具本体１の前記連結ピン５に対する左右位置内面に、被連結体７が当接する当接部８を設け、この対向する当接部８は夫々凹部同志が対向する湾曲形状に設けたことを特徴とする連結具に係るものである。
【００１１】
また、前記対向する取付孔部３の双方を螺子孔４とし、前記連結ピン５の先端側の螺子部６と基端側の螺子部６とを、前記双方の螺子孔４と夫々螺着することで、取付孔部３間に着脱自在に架設して前記開閉部を構成したことを特徴とする請求項１に記載の連結具に係るものである。
【００１２】
また、前記金具本体１を一体成形により形成したことを特徴とする請求項１，２のいずれか１項に記載の連結具に係るものである。
【００１３】
また、前記金具本体１の対向端部のいずれか一方に設けられた螺子孔４の一部を圧潰変形させて、前記連結ピン５が挿通不能な抜け止め部を形成したことを特徴とする請求項１〜３のいずれか１項に記載の連結具に係るものである。
【００１４】
また、前記連結ピン５に、前記金具本体１と略面一状態となるようなカバー体１０を被嵌することで、この連結ピン５を前記当接部８に設定し得るように構成したことを特徴とする請求項１〜４のいずれか１項に記載の連結具に係るものである。
【００１５】
【発明の実施の形態】
好適と考える本発明の実施の形態（発明をどのように実施するか）を、図面に基づいてその作用効果を示して簡単に説明する。
【００１６】
複数の被連結体７を（開閉部を通じて）金具本体１の内面に対向状態に設けた当接部８に夫々当接させることで連結する。
【００１７】
この際、前記被連結体７が当接する当接部８は湾曲形状に設けているから、この被連結体７からの応力が分散して、当接部８各部にかかる応力を小さくでき、この当接部８の一部に応力集中が生じることを阻止できる。
【００１８】
即ち、従来のように直線部分を前記当接部８に設定していないから、この当接部８にかかる応力は前記直線部分を曲げる曲げ力とならずに、前記湾曲形状の当接部８に対する剪断力となり、この連結具の強度を飛躍的に高めることができる。
【００１９】
また、この当接部８は金具本体１の前記連結ピン５の左右位置内面に設けているから、この連結ピン５は直接前記被連結体７からの応力を受けず、そのため、連結ピン５と螺子孔４との螺着が緩みにくく、長期に渡ってこの螺着による連結を維持することができ、この点からも連結具の強度を高めることができる。
【００２０】
また、前述のように当接部８は湾曲形状であるため、この当接部８に当接する被連結体７を前記湾曲形状の底部に位置決めすることができ、この被連結体７を安定的に連結することができる。
【００２１】
しかも、前記金具本体１は略環状であるから、この金具本体１内面に前記被連結体７の移動を阻害するような部分がなく、この被連結体７は金具本体１の内面をスムーズに移動できる。
【００２２】
また、例えば、対向する取付孔部３の双方を螺子孔４とし、前記連結ピン５の先端側の螺子部６と基端側の螺子部６とを、前記双方の螺子孔４と夫々螺着することで、取付孔部３間に着脱自在に架設して前記開閉部を構成することで、仮に前記螺子部６と螺子孔４との螺着が緩んでも引っ張りに対して良好な強度を発揮することができることになり、極めて強度に秀れた連結具を構成できることになる。
【００２３】
従って、本発明は、当接部の一部に応力集中が生じることを阻止して良好な耐久性を発揮できると共に、被連結体を安定した状態で連結することができ、しかも、この連結ピンと螺子孔との良好な螺着が長期間保たれるだけでなく、前記被連結体は金具本体の内面をスムーズに移動できる極めて実用性に秀れた画期的な連結具となる。
【００２４】
【実施例】
本発明の具体的な実施例について図面に基づいて説明する。
【００２５】
本実施例は、離間部２を有する略環状の金具本体１の対向端部に取付孔部３を対向状態に設け、この取付孔部３の少なくとも一方は螺子孔４とし、この取付孔部３に連結ピン５を挿通すると共に、連結ピン５に設けた螺子部６を前記螺子孔４に螺着することで、前記取付孔部３間に連結ピン５を着脱自在に架設して開閉部を構成した連結具であって、少なくとも金具本体１の前記連結ピン５に対する左右位置内面に、被連結体７が当接する当接部８を設け、この対向する当接部８は夫々凹部同志が対向する湾曲形状に設けたものである。
【００２６】
具体的には、図１〜３に図示したように前記金具本体１を平面視略楕円形状として、この長径側に形成した当接部８は、この当接部８に当接する被連結体７から応力を受けることでこの被連結体７を所定位置に位置決めし得る位置決め湾曲形状となるように構成している。また、この楕円形状の金具本体１は応力集中が生じやすい連結部が存在しない一体成形により短径側に前記離間部２を有するように形成している。
【００２７】
この短径側にして前記連結ピン５で構成された開閉部及びこの開閉部と対向状態の前記金具本体１の短径側の一辺部とで一対の当接部８を設けている。
【００２８】
また、本実施例においては、前記連結ピン５で構成される開閉部を前記当接部８に設定するために、この連結ピン５に前記金具本体１と略面一状態となるようなカバー体１０を着脱自在に被嵌している。このカバー体１０は、連結ピン５の摩耗を可及的に抑制できるものであれば良いが、本実施例においては、アルミニウム製のものを採用している。
【００２９】
即ち、本実施例は、前記当接部８を金具本体１の長径側と短径側に夫々一対設けた構成である。
【００３０】
従って、単に２方向に前記被連結体７を連結するだけでなく、４方向に連結することが可能となり、方向選択自由度が拡大し、より柔軟且つ効果的に利用することができる構成である。
【００３１】
また、前記金具本体１の断面形状は前記被連結体７との当接面の面積をできるだけ広く取ることができる形状に設定している。具体的には、図４に図示したように前記被連結体７と当接する側を底面とする丸みを帯びた略三角形状としている。即ち、単に断面視略円形状とした場合より前記被連結体７と当接する面積が広くなり、前記湾曲形状の当接部８による応力の分散が一層良好に行われ、前記金具本体１の強度が一層向上することになる。
【００３２】
尚、この金具本体１の断面形状は円形状や楕円形状等でも前記被連結体７との当接面積を広くできるし、当接面積を考慮しないのであれば、どのような断面形状でも良い。
【００３３】
連結ピン５は、外周面を螺子部６に設定し、基端部に断面視多角形状の穴９を有する円筒形状のボルトを採用している。具体的には本実施例においては、断面視六角形状の穴９を有するボルトを採用している。
【００３４】
このような略面一のボルトを採用した場合には、頭部を抜け止め係止部１２とするネジピンと異なり、前記取付孔部３から抜けやすいが、本実施例においては、上述のように前記先端側と基端側の螺子部６と螺子孔４とを夫々螺着するだけでなく、前記取付孔部３に抜け止めリング１１を設けることで、前記ボルトの抜けをより確実に防止している。
【００３５】
また、前記金具本体１の対向端部のいずれか一方に設けられた螺子孔４の一部（具体的には、外側端部）を圧潰変形させて、前記連結ピン５が挿通不能な抜け止め部を形成し、この抜け止め部により抜け止めするように構成しても良い。
【００３６】
また、本実施例においては前記連結ピン５の抜け止めのために抜け止めリング１１を採用しているが、前記連結ピン５を抜け止めできるものであれば何でも良く、例えば、前記抜け止めリング１１の代わりに抜け止めピンを採用しても良い。
【００３７】
この抜け止めリング１１は、前記抜け止め部を構成した螺子孔４と反対側の取付孔部３（螺子孔４）の外側に設けると良い。
【００３８】
また、本実施例においては、前記取付孔部３の双方を螺子孔４とし、前記連結ピン５との螺着が緩んでも引っ張りに対する強度を発揮できるように構成しているが、例えば、上述のような頭部を抜け止め係止部１２とするネジピンを採用する場合にはいずれか一方を螺子孔４としても良い。
【００３９】
本実施例は上述のように構成したから、複数の被連結体７を（開閉部を通じて）金具本体１の内面に対向状態に設けた当接部８に夫々当接させることで連結する際、前記被連結体７が当接する当接部８は湾曲形状に設けているから、この被連結体７からの応力が分散して、当接部８各部にかかる応力を小さくでき、この当接部８の一部に応力集中が生じることを阻止できる。
【００４０】
即ち、従来のように直線部分を前記当接部８に設定していないから、この当接部８にかかる応力は前記直線部分を曲げる曲げ力とならずに、前記湾曲形状の当接部８に対する剪断力となり、この連結具の強度を飛躍的に高めることができる。
【００４１】
また、この当接部８は金具本体１の前記連結ピン５の左右位置内面に設けているから、この連結ピン５は直接前記被連結体７からの応力を受けず、そのため、連結ピン５と螺子孔４との螺着が緩みにくく、長期に渡ってこの螺着による連結を維持することができ、この点からも連結具の強度を高めることができる。
【００４２】
また、前述のように当接部８は湾曲形状であるため、この当接部８に当接する被連結体７を前記湾曲形状の底部に位置決めすることができ、この被連結体７を安定的に連結することができる。
【００４３】
しかも、前記金具本体１は略環状であるから、この金具本体１内面に前記被連結体７の移動を阻害するような部分がなく、この被連結体７は金具本体１の内面をスムーズに移動できる。
【００４４】
従って、本実施例は、当接部の一部に応力集中が生じることを阻止して良好な耐久性を発揮できると共に、被連結体を安定した状態で連結することができ、しかも、この連結ピンと螺子孔との良好な螺着が長期間保たれるだけでなく、前記被連結体は金具本体の内面をスムーズに移動できる極めて実用性に秀れた画期的なものとなる。
【００４５】
また、図５〜７は、前記連結ピン５として、頭部に抜け止め係止部１２を設け尾部に螺子部６を設けた構成のネジピンを採用した場合の本実施例の別例を図示したものである。尚、図中符号１３はパッキンである。
【００４６】
この別例においては、前記取付孔部３のいずれか一方を螺子孔４とし、他方に前記ネジピンの頭部の抜け止め係止部１２と嵌合する凹段部１４を形成している。
【００４７】
従って、この別例においては、前記抜け止め係止部１２により図７中上方向への抜けを防止し、前記抜け止めリング１１により図７中下方向への抜けを防止する構成である。
【００４８】
また、この別例においては前記連結ピン５にカバー体１０を被嵌せずに、前記金具本体１の長径方向にのみ前記当接部８を設けた構成であるが、この連結ピン５にカバー体１０を被嵌して短径方向にも前記当接部８を設けても良い。
【００４９】
その余は本実施例と同様である。
【００５０】
【発明の効果】
本発明は上述のように構成したから、当接部の一部に応力集中が生じることを阻止して良好な耐久性を発揮できると共に、被連結体を安定した状態で連結することができ、しかも、この連結ピンと螺子孔との良好な螺着が長期間保たれるだけでなく、前記被連結体は金具本体の内面をスムーズに移動できる極めて実用性に秀れた画期的な連結具となる。
【００５１】
また、請求項２，３に記載の発明においては、本発明の作用効果を一層良好に発揮する一層実用性に秀れたものとなる。
【００５２】
また、請求項４，５に記載の発明においては、本発明を一層容易に実現できるより一層実用性に秀れたものとなる。
【図面の簡単な説明】
【図１】本実施例の説明斜視図である。
【図２】本実施例の説明側面図である。
【図３】本実施例の一部を切り欠いた説明側面図である。
【図４】本実施例の金具本体の断面形状を示す断面図である。
【図５】別例の説明斜視図である。
【図６】別例の分解説明斜視図である。
【図７】別例の一部を切り欠いた説明側面図である。
【符号の説明】
１  金具本体
２  離間部
３  取付孔部
４  螺子孔
５  連結ピン
６  螺子部
７  被連結体
８  当接部
１０  カバー体
【図１】
2004308718.tif 000003
【図２】
2004308718.tif 000004
【図３】
2004308718.tif 000005
【図４】
2004308718.tif 000006
【図５】
2004308718.tif 000007
【図６】
2004308718.tif 000008
【図７】
2004308718.tif 000009